(57)【要約】  素手または手袋とともに着用して手の握力を増加させ、ゴルフクラブ、野球バットのようなスポーツ用具のグリップ部分との摩擦力を増大させることで、競技力向上に寄与するように考案されたスポーツ用リストバンドに関する。手首に１回以上巻かれる長さを有し、手首に巻かれた状態で圧着固定できるように手首ベルクロテープ１１、１２、１３、１４が所定位置に付着された手首バンド１０と；前記手首バンド１０から延設され、手刃部３側に巻かれ、スポーツ用具と接触する掌部を圧着しながら取り囲むように固定される手バンド２０とを含む。
2009507143.tif 000002
【特許請求の範囲】
【請求項１】
手首に１回以上巻かれる長さを有し、手首に巻かれた状態で圧着固定できるように手首
ベルクロテープ１１、１２、１３、１４が所定位置に付着された手首バンド１０と；
前記手首バンド１０から延設され、手刃部３側に巻かれ、スポーツ用具と接触する掌部
を圧着しながら取り囲むように固定される手バンド２０と；
を含むことを特徴とするスポーツ用リストバンド。
【請求項２】
前記手バンド２０は、前記手首バンド１０の一側から延設され、手刃部３側に広く巻か
れ、スポーツ用具と接触する掌部を取り囲むようになった圧着部２１と、この圧着部２１
から延設され、母指４と人差し指５間に細く巻かれた後、手圧着ベルクロテープ２３、２
４により前記圧着部２１上に付着される連結部２２とを含んでなることを特徴とする、請
求項１に記載のスポーツ用リストバンド。
【請求項３】
前記手首ベルクロテープ１１、１２、１３、１４は、手首バンド１０の一部が手首に１
回巻かれた状態で固定できるようにする位置に付着された手首固定ベルクロテープ１１、
１２と、前記手首バンド１０の残り部分が手首を圧着するように巻かれた状態で固定でき
るようにする位置に付着された手首圧着ベルクロテープ１３、１４とを含んでなることを
特徴とする、請求項１または２に記載のスポーツ用リストバンド。
【請求項４】
前記手バンド２０の一部は、スポーツ用手袋４０に付着されて共に使用されることを特
徴とする、請求項１または２に記載のスポーツ用リストバンド。
【請求項５】
前記手バンド２０の一部は、スポーツ用手袋４０に着脱自在に付着されることを特徴と
する、請求項３に記載のスポーツ用リストバンド。
【発明の詳細な説明】
【技術分野】
【０００１】
本発明はスポーツ用リストバンドに係り、より詳しくは素手または手袋とともに着用し
て手の握力を増加させ、ゴルフクラブ、野球バットのように、手で握るスポーツ用具との
摩擦力を増大させることで、競技力向上に寄与するように考案されたスポーツ用リストバ
ンドに関するものである。
【背景技術】
【０００２】
現在、使用されているスポーツ用リストバンドは、弾性材からなった円筒状リストバン
ドを手首に嵌めて着用する手首保護用リストバンドが一般的である。この手首保護用リス
トバンドは、手首に無理な力が加えられたときに手首を保護するか、あるいは野球選手が
ボールを投げるとき、手首のスナップをうまく利用するようにする。
【０００３】
手首保護用リストバンドは、手首にだけ着用するようになったものを始めとし、８〜９
インチの長さに作られて下腕部まで着用するようになったものまで、多様な長さを有する
製品が販売されている。また、単に円筒状になって手首に嵌着するようになったものを始
めとし、バンド状になって手首に巻いて着用して使用者によって筋肉の圧迫強度を調節す
るようになったものまで、多様な形態を有する製品が販売されている。
【０００４】
しかし、現在販売されている手首保護用リストバンドは、その多様な長さと形態にもか
かわらず、手首を保護する１次的な機能のみを考慮して製作されているから、科学的設計
によって多様な機能を発揮して競技力向上に寄与することができるスポーツ用リストバン
ドの開発が要求されている。
【発明の開示】
【発明が解決しようとする課題】
【０００５】
したがって、本発明はこのような要求を満たすためになされたもので、手首保護機能を
果たす手首バンドに、手の握力を増加させるとともにスポーツ用具との摩擦力を増大させ
る機能を果たす手バンドを付け加えて使用者の競技力を向上させるようになったスポーツ
用リストバンドを提供することにその目的がある。
【課題を解決するための手段】
【０００６】
前記の目的を果たすための本発明によるスポーツ用リストバンドは、手首に１回以上巻
かれる長さを有し、手首に巻かれた状態で圧着固定できるように手首ベルクロテープが所
定位置に付着された手首バンドと；前記手首バンドから延設されて手刃部側に巻かれ、ス
ポーツ用具と接触する掌部を圧着しながら取り囲むように固定される手バンドと；から構
成される。
【０００７】
また、前記手バンドは、前記手首バンドの一側から延設され、手刃部側に広く巻かれて
、スポーツ用具と接触する掌部を取り囲むようになった圧着部と、この圧着部から延設さ
れ、母指と人差し指間に細く巻かれた後、手圧着ベルクロテープによって前記圧着部上に
さらに付着される連結部とからなる。
【０００８】
また、前記手首ベルクロテープは、手首バンドの一部が手首に１回巻かれた状態で固定
できるようにする位置に付着された手首固定ベルクロテープと、前記手首バンドの残り部
分が手首を圧着するように巻かれた状態で固定できるようにする位置に付着される手首圧
着ベルクロテープとからなる。
【０００９】
また、前記手バンドの一部は、スポーツ用手袋に着脱自在に付着されて共に使用するこ
ともできる。
【発明を実施するための最良の形態】
【００１０】
本発明の前記及びほかの目的、特徴及び利点は添付図面を参照する以降の詳細な説明か
ら明らかになるであろう。
以下、添付図面に示す例に基づいて本発明の好ましい実施例をより詳細に説明する。図
面において、同一符号は同一または類似の部分を指示するのに使用される。
【００１１】
図１の（ａ）は本発明によるスポーツ用リストバンドを上方から見た平面図、図１の（
ｂ）は下方から見た平面図である。
【００１２】
本発明は、大別して、手首部位を圧着固定する手首バンド１０と、手部位を圧着固定す
る手バンド２０とから構成される。前記手首バンド１０は、従来の手首保護用リストバン
ドと同様に、競技中に手首に加えられる無理な力から手首を保護する基本機能を果たし、
前記手バンド２０は、ゴルフクラブ、野球バット、テニスラケットなどのようなスポーツ
用具を握る掌部を圧着して、握力を増加させ、スポーツ用具との接着力を向上させる機能
を果たす。
【００１３】
前記手首バンド１０は、手首に１回以上巻かれる長さを有し、手首に巻かれた状態で圧
着固定できるように手首ベルクロテープ１１、１２、１３、１４が所定位置に付着される
。手首バンド１０は手首に少なくとも１回以上巻かれた状態で、後述する手首固定ベルク
ロテープ１１、１２により固定できる長さを持たなければならなく、望ましくは手首に二
回以上圧着状態に巻かれる長さを持たなければならない。
【００１４】
最近の手首保護用リストバンドは弾性材からなる円筒状のもので、単に手首に嵌める方
式でなく、手首に１回以上巻かれた後、筋肉の圧迫程度を調節することができる帯状に製
造されている。本発明においても、このような技術動向を反映して、前記手首バンド１０
を、手首に１回以上巻かれて固定可能な形態に製作した。
【００１５】
このように、手首バンド１０の長さを長くすれば、手首に対する圧着力を増加させるこ
とができ、使用者の要求に応じて圧着力を調節することができるという利点があるが、既
存の円筒状リストバンドに比べ、着用が煩わしいという欠点がある。本発明では、このよ
うな問題を解決するために、手首バンド１０に２種類の手首ベルクロテープ１１、１２、
１３、１４を備えて、着用の便利さを図った。
【００１６】
まず、一対の手首固定ベルクロテープ１１、１２が、手首バンド１０の一部が手首に１
回巻かれた状態で固定できるようにする位置に付着される。その好ましい一実施例として
、図１の（ａ）に示すように、一つの手首固定ベルクロテープ１１は手首バンド１０の一
端に付着され、図１の（ｂ）に示すように、他の手首固定ベルクロテープ１２は、これか
ら手首の円周長さ程度だけ離れるように、手首バンド１０の中間部位に付着される。この
際、一対の手首固定ベルクロテープ１１、１２は手首バンド１０の上面と下面にそれぞれ
付着されて、手首バンド１０が手首に１回巻かれた状態で相互に結合できるように構成さ
れる。
【００１７】
このように付着された一対の手首固定ベルクロテープ１１、１２は、手首に１回巻かれ
た状態の手首バンド１０を固定させて、遊動しないようにすることで、次の段階で手首バ
ンド１０を一層便利に圧着固定できるようにする。
【００１８】
ついで、一対の手首圧着ベルクロテープ１３、１４は、手首バンド１０の一部が前記手
首固定ベルクロテープ１１、１２によって固定された後、その残り部分が手首に圧着して
巻かれた状態で固定できるようにする位置に付着される。その好ましい一実施例として、
図１の（ａ）に示すように、一つの手首圧着ベルクロテープ１３は手首バンド１０の中間
部位に付着され、他の手首圧着ベルクロテープ１４は、これから手首の円周長さだけ流れ
るように、手首バンド１０の他端に付着される。
【００１９】
ついで、本発明の最も特徴的な技術構成である手バンド２０について説明する。手バン
ド２０は前記のように手の握力及びスポーツ用具との接着力を向上させるためのもので、
前記手首バンド１０から延設され、手刃部側に巻かれて、スポーツ用具と接触する掌部を
圧着しながら取り囲むように固定される。前記手バンド２０は、手首バンド１０から延長
されてスポーツ用具と接触する掌部を圧着しながら取り囲むように構成されたものであれ
ば、いずれも本発明の技術的思想の範疇に属し、その具体的な実施形態は多様に具現でき
る。
【００２０】
その好ましい一実施例を図１に示す。すなわち、手バンド２０は、前記手首バンド１０
の一側から延設されて手刃部側に広く巻かれ、スポーツ用具と接触する掌部を取り囲むよ
うになった圧着部２１と、この圧着部２１から延設され、母指と人差し指間に細く巻かれ
た後、手圧着ベルクロテープ２３、２４により前記圧着部２１上に付着される連結部２２
とから構成される。
【００２１】
前記圧着部２１は、掌のうちスポーツ用具と接触する部位に強く密着されるので、スポ
ーツ用具との摩擦力を増大させ、手刃部側に巻かれるようになっているので、掌のうちス
ポーツ用具との接触面積が最も広い手刃部を強く圧着して握力を増加させる。
【００２２】
前記連結部２２は、母指と人差し指間に巻かれるように、比較的細い帯状に作るのが望
ましく、前記手圧着ベルクロテープ２３、２４は、それぞれ圧着部２１の上面と連結部２
２の端部下面に付着され、手バンド２０が掌に１回巻かれた後に互いに結合できるように
付着される。使用者は、前記連結部２２を引っ張り、手圧着ベルクロテープ２３、２４で
固定させる程度を調節することで、手バンド２０の圧着力を自由に調節することができる
。
【００２３】
前記のように構成された本発明によるスポーツ用リストバンドの使用方法について説明
する。図２〜図５は、本発明によるスポーツ用リストバンドの着用手順を示す。スポーツ
用リストバンドを手１に着用しようとする場合は、まず手首バンド１０の一部を手首２に
１回巻いた後、手首固定ベルクロテープ１１、１２を結合して手首バンド１０を固定させ
る（図２参照）。その後、手首バンド１０の端部をつかんで回して手首２に圧着して巻い
た後、手首圧着ベルクロテープ１３、１４を結合させれば、手首バンド１０の着用が完了
する（図３参照）。
【００２４】
その後、連結部２２の端部をつかみ、手バンド２０を手刃部３側に巻いた後、母指４と
人差し指５間に巻くことで、圧着部２１を掌部に圧着させた状態で、手圧着ベルクロテー
プ２３、２４を結合させる（図４及び図５参照）。この際、圧着部２１による圧着力は、
手首バンド２０をどのくらい強く巻くかによって調節することができる。
【００２５】
図６及び図７は本発明によるスポーツ用リストバンドを着した状態でゴルフクラブを握
った状態を示す。使用者は、スポーツ用リストバンドを左手に着用し、手バンド２０の圧
着部２１にゴルフクラブ３０のグリップが位置するようにグリップを握った後、右手で左
手を堅く握る。この際、左手にはスポーツ用リストバンドにより強い圧迫が加えられるの
で、握力が増加し、ゴルフクラブ３０のグリップが圧着部２１上に置かれるので、摩擦力
も増加する。その結果、ゴルフクラブのスイングの際、インパクトの強度及び正確度が向
上する。
【００２６】
本発明によるスポーツ用リストバンドは、前述したように、素手に直接着用して使用す
ることができるだけでなく、スポーツ手袋に付着して共に使用することもできる。これは
、ゴルフ、野球、テニスなど、いずれの種類のスポーツ手袋にも適用可能である。図８に
その一実施例を示す。この場合、スポーツ用リストバンドのうち、手バンド２０の一部が
スポーツ用手袋４０に付着されて使用される。この際、前記手バンド２０の一部はスポー
ツ用手袋４０に一体的に結合されて一組で販売することもでき、着脱自在に付着して必要
な場合にだけ付着して使用することもできる。図８において、スポーツ用リストバンドに
対する図面符号及びその説明は図１と同様である。
【００２７】
図９は手袋付着式スポーツ用リストバンドを着用した状態を示す。使用者は、まずスポ
ーツ手袋４０を嵌め、手袋ベルクロテープ４１で締めて手に固定させる。その後、スポー
ツ用リストバンドの手首バンド１０で手首部位を巻いて堅たく固定させた後、手バンド２
０の連結部２２をつかみ、圧着部２１を手刃部側に巻いて１回だけ回して圧着させた状態
で、手圧着ベルクロテープ２３、２４を結合させる。
【００２８】
図１０及び図１１は本発明によるスポーツ用リストバンドを着用したままで野球バット
５０を握った状態を示す。使用者は、スポーツ用リストバンドを左手に着用し、手バンド
２０の圧着部２１に野球バット５０のグリップが位置するようにグリップを握った後、右
手で左手の上部を握る。この際、左手にはスポーツ用リストバンドにより強い圧迫が加え
られるので、握力及び摩擦力が増加して打撃の強度及び正確度が向上する。
【００２９】
図１〜図１１は左手に着用するスポーツ用リストバンドのみを示しているが、本発明は
これに限定されるものではなく、右手に着用するスポーツ用リストバンドにも適用可能で
あることは言うまでもない。
【産業上の利用可能性】
【００３０】
前述したように構成された本発明によるスポーツ用リストバンドによれば、従来のスポ
ーツ用リストバンドが有する手首保護機能に加え、手の握力及びスポーツ用具との摩擦力
を増大させる機能も付け加えるので、身体の保護だけでなく、競技力向上にも大きく寄与
することができる。
【図面の簡単な説明】
【００３１】
【図１】本発明によるスポーツ用リストバンドの平面図である。
【図２】本発明によるスポーツ用リストバンドの着用過程を示す斜視図である。
【図３】本発明によるスポーツ用リストバンドの着用過程を示す斜視図である。
【図４】本発明によるスポーツ用リストバンドの着用過程を示す斜視図である。
【図５】本発明によるスポーツ用リストバンドの着用過程を示す斜視図である。
【図６】本発明によるスポーツ用リストバンドの使用状態を示す図である。
【図７】本発明によるスポーツ用リストバンドの使用状態を示す図である。
【図８】本発明による手袋付着式スポーツ用リストバンドの平面図である。
【図９】本発明による手袋付着式スポーツ用リストバンドの着用状態を示す斜視図である。
【図１０】本発明による手袋付着式スポーツ用リストバンドの使用状態を示す図である。
【図１１】本発明による手袋付着式スポーツ用リストバンドの使用状態を示す図である。
【図１】
2009507143.tif 000003
【図２】
2009507143.tif 000004
【図３】
2009507143.tif 000005
【図４】
2009507143.tif 000006
【図５】
2009507143.tif 000007
【図６】
2009507143.tif 000008
【図７】
2009507143.tif 000009
【図８】
2009507143.tif 000010
【図９】
2009507143.tif 000011
【図１０】
2009507143.tif 000012
【図１１】
2009507143.tif 000013
【国際調査報告】
2009507143.tif 000014
2009507143.tif 000015